(57)【要約】【課題】ＡＶシステム及びＡＶ機器を接続するための複数の接続端子を備える制御機器において、ユーザが制御機器に備わる接続端子及び機能を把握して、接続端子及び機能の選択操作性の向上を図る。【解決手段】ＡＶシステム１００において、一覧表示制御手段（ＣＰＵ３３、表示制御プログラム３５ｂ等）により、目的別に、使用する接続端子に関する接続端子情報及びテレビジョン受像機１０の機能に関する機能情報を、表示画面１８ａに一覧表示させ、選択手段（リモコン３０等）により、当該一覧表示された接続端子情報及び機能情報から任意の接続端子或いは機能を選択させ、また、切替手段（ＣＰＵ３３、切替プログラム３５ｃ等）により、選択手段（リモコン３０等）により選択された接続端子或いは機能に切り替える。【選択図】図２
2007134956.tif 000002
【特許請求の範囲】
【請求項１】
複数のＡＶ機器と、前記ＡＶ機器を接続するための複数の接続端子及び表示部を備える制御機器と、を備えるＡＶシステムにおいて、
前記制御機器は、
目的別に、使用する接続端子に関する接続端子情報及び当該制御機器の機能に関する機能情報を、前記表示部に一覧表示する一覧表示制御手段と、
前記表示部に一覧表示された前記接続端子情報及び前記機能情報から任意の接続端子或いは機能を選択する選択手段と、
前記選択手段により選択された接続端子或いは機能に切り替える切替手段と、
前記ＡＶ機器が接続された接続端子を検出する検出手段と、
前記選択手段により選択された接続端子或いは機能に関する説明情報を表示する説明表示制御手段と、を備え、
前記一覧表示制御手段は、前記検出手段により検出されたＡＶ機器が接続された接続端子の接続端子情報を、他の接続端子の接続端子情報と異なる態様で表示させ、
前記説明情報には、前記接続端子の配置位置に関する配置位置情報が含まれることを特徴とすることを特徴とするＡＶシステム。
【請求項２】
複数のＡＶ機器を接続するための複数の接続端子及び表示部を備える制御機器において、
目的別に、使用する接続端子に関する接続端子情報及び当該制御機器の機能に関する機能情報を、前記表示部に一覧表示する一覧表示制御手段と、
前記表示部に一覧表示された前記接続端子情報及び前記機能情報から任意の接続端子或いは機能を選択する選択手段と、
前記選択手段により選択された接続端子或いは機能に切り替える切替手段と、
を備えることを特徴とする制御機器。
【請求項３】
前記ＡＶ機器が接続された接続端子を検出する検出手段を備え、
前記一覧表示制御手段は、
前記検出手段により検出されたＡＶ機器が接続された接続端子の接続端子情報を、他の接続端子の接続端子情報と異なる態様で表示させることを特徴とする請求項２に記載の制御機器。
【請求項４】
前記選択手段により選択された接続端子或いは機能に関する説明情報を表示する説明表示制御手段を備えることを特徴とする請求項２又は３に記載の制御機器。
【請求項５】
前記説明情報には、前記接続端子の配置位置に関する配置位置情報が含まれることを特徴とする請求項４に記載の制御機器。
【発明の詳細な説明】
【技術分野】
【０００１】
本発明は、複数のＡＶ機器が、多数の接続端子を有する制御機器に接続可能なＡＶシステム及び制御機器に関する。
【背景技術】
【０００２】
従来、複数のＡＶ機器が、ＤＴＶ、セットトップボックス等の多数の接続端子を有する制御機器に接続可能なＡＶシステムにおいて、多様化する機能をユーザが把握し、多様な機能の利用を図ることが困難であるという問題があった。また、ＡＶ機器の切り替え操作はリモコンの入力切替ボタンで行い、特に、ネットワーク接続端子を搭載した機器の操作はメニューボタンの押下操作に基づくメニュー画面上で行うなど、操作が複雑化し、目的の操作を行うことが困難であるという問題があった。
【０００３】
そのため、制御装置に接続されている複数のＡＶ機器を、その種類別及び製造メーカー別等に分類してリスト表示するＡＶ機器ネットワークシステム（特許文献１参照）や、接続されている各ＡＶ機器からの映像信号及び／又は音声信号の流れの接続状態を画面上に表示するようにし、且つ適宜画面上から設定変更できるようにするＡＶシステム（特許文献２参照）が開発されている。また、制御装置が、特定のＡＶ機器を選択して受信動作を行わせ、該ＡＶ機器から得られた各放送番組の画像信号を記録媒体に記録して多画面表示するＡＶ機器ネットワークシステム（特許文献３参照）が開発されている。
【特許文献１】特開２００２−４４０９６号公報
【特許文献２】特開平９−１５４０７７号公報
【特許文献３】特開２００２−４４５５６号公報
【発明の開示】
【発明が解決しようとする課題】
【０００４】
しかしながら、特許文献１〜３に開示されたＡＶシステムの技術では、ＡＶ機器の接続状況の検出を行った時点でネットワークに接続されたＡＶ機器しか表示されないため、ユーザが当該ＡＶシステムにおける多種多様な機能を把握して、目的の操作を行い、ＡＶシステムにおける機能の利用の更なる向上を図ることは困難である。
【０００５】
本発明の課題は、ＡＶシステム及びＡＶ機器を接続するための複数の接続端子を備える制御機器において、ユーザが制御機器に備わる接続端子及び機能を把握して、接続端子及び機能の選択操作性の向上を図ることである。
【課題を解決するための手段】
【０００６】
以上の課題を解決するため、請求項１に記載の発明は、複数のＡＶ機器と、前記ＡＶ機器を接続するための複数の接続端子及び表示部を備える制御機器と、を備えるＡＶシステムにおいて、
前記制御機器は、
目的別に、使用する接続端子に関する接続端子情報及び当該制御機器の機能に関する機能情報を、前記表示部に一覧表示する一覧表示制御手段と、
前記表示部に一覧表示された前記接続端子情報及び前記機能情報から任意の接続端子或いは機能を選択する選択手段と、
前記選択手段により選択された接続端子或いは機能に切り替える切替手段と、
前記ＡＶ機器が接続された接続端子を検出する検出手段と、
前記選択手段により選択された接続端子或いは機能に関する説明情報を表示する説明表示制御手段と、を備え、
前記一覧表示制御手段は、前記検出手段により検出されたＡＶ機器が接続された接続端子の接続端子情報を、他の接続端子の接続端子情報と異なる態様で表示させ、
前記説明情報には、前記接続端子の配置位置に関する配置位置情報が含まれることを特徴とすることを特徴とする。
【０００７】
請求項２に記載の発明は、複数のＡＶ機器を接続するための複数の接続端子及び表示部を備える制御機器において、
目的別に、使用する接続端子に関する接続端子情報及び当該制御機器の機能に関する機能情報を、前記表示部に一覧表示する一覧表示制御手段と、
前記表示部に一覧表示された前記接続端子情報及び前記機能情報から任意の接続端子或いは機能を選択する選択手段と、
前記選択手段により選択された接続端子或いは機能に切り替える切替手段と、
を備えることを特徴とする。
【０００８】
請求項３に記載の発明は、請求項２に記載の制御機器において、前記ＡＶ機器が接続された接続端子を検出する検出手段を備え、
前記一覧表示制御手段は、
前記検出手段により検出されたＡＶ機器が接続された接続端子の接続端子情報を、他の接続端子の接続端子情報と異なる態様で表示させることを特徴とする。
【０００９】
請求項４に記載の発明は、請求項２又は３に記載の制御機器において、前記選択手段により選択された接続端子或いは機能に関する説明情報を表示する説明表示制御手段を備えることを特徴とする。
【００１０】
請求項５に記載の発明は、請求項４に記載の制御機器において、前記説明情報には、前記接続端子の配置位置に関する配置位置情報が含まれることを特徴とする。
【発明の効果】
【００１１】
請求項１に記載の発明によれば、複数のＡＶ機器と、ＡＶ機器を接続するための複数の接続端子及び表示部を備える制御機器と、を備えるＡＶシステムにおいて、一覧表示制御手段により、目的別に、使用する接続端子に関する接続端子情報及び制御機器の機能に関する機能情報が、表示部に一覧表示され、選択手段により、当該一覧表示された接続端子情報及び機能情報から任意の接続端子或いは機能を選択でき、また、切替手段により、選択手段により選択された接続端子或いは機能に切り替えられる。したがって、ユーザが制御機器に備わる接続端子及び機能を容易に把握することができ、且つ接続端子及び機能の選択操作性の向上を図ることができるＡＶシステムを提供することができる。
また、一覧表示制御手段により、検出手段により検出されたＡＶ機器が接続された接続端子の接続端子情報が、他の接続端子の接続端子情報と異なる態様で表示されるので、ユーザはＡＶ機器が接続された接続端子を容易に認識することができ、さらに、説明表示制御手段により、選択手段により選択された接続端子或いは機能に関する説明情報が表示されるので、ユーザは接続端子或いは制御機器の機能に関する情報を容易に知ることができる。そして、当該説明情報には、接続端子の配置位置に関する配置位置情報が含まれるので、ユーザは接続端子の配置位置を容易に認識することができることとなる。
【００１２】
請求項２に記載の発明によれば、複数のＡＶ機器を接続するための複数の接続端子及び表示部を備える制御機器において、一覧表示制御手段により目的別に、使用する接続端子に関する接続端子情報及び制御機器の機能に関する機能情報が、表示部に一覧表示され、選択手段により、当該一覧表示された接続端子情報及び機能情報から任意の接続端子或いは機能を選択でき、また、切替手段により、選択手段により選択された接続端子或いは機能に切り替えられるので、ＡＶ機器を接続するための複数の接続端子を備える制御機器において、ユーザが制御機器に備わる接続端子及び機能を容易に把握することができ、且つ接続端子及び機能の選択操作性の向上を図ることができる。
【００１３】
請求項３に記載の発明によれば、請求項２に記載の発明の効果が得られるのは無論のこと、一覧表示制御手段により、検出手段により検出されたＡＶ機器が接続された接続端子の接続端子情報が、他の接続端子の接続端子情報と異なる態様で表示されるので、ユーザはＡＶ機器が接続された接続端子を容易に認識することができることとなって、ＡＶ機器を接続するための複数の接続端子を備える制御機器において、接続端子の選択操作性の向上を更に図ることができる。
【００１４】
請求項４に記載の発明によれば、請求項２又は３に記載の発明の効果が得られるのは無論のこと、説明表示制御手段により、選択手段により選択された接続端子或いは機能に関する説明情報が表示されるので、ユーザは接続端子或いは制御機器の機能に関する情報を容易に知ることができることとなって、ＡＶ機器を接続するための複数の接続端子を備える制御機器において、ユーザが制御機器に備わる接続端子及び機能を把握して、接続端子及び機能の選択操作性の向上を更に図ることができる。
【００１５】
請求項５に記載の発明によれば、請求項４に記載の発明の効果が得られるのは無論のこと、説明情報には、接続端子の配置位置に関する配置位置情報が含まれるので、ユーザは接続端子の配置位置を容易に認識することができることとなって、ＡＶ機器を接続するための複数の接続端子を備える制御機器において、ユーザが制御機器に備わる接続端子を把握して、接続端子の選択操作性の向上を更に図ることができる。
【発明を実施するための最良の形態】
【００１６】
以下、本発明の実施の形態を図面を参照して詳細に説明する。
なお、本実施形態では、ＡＶシステムにおける、ＡＶ機器を接続するための複数の接続端子及び表示部を備える制御機器として、テレビジョン受像機を例に説明するが、制御機器はこれに限られることなく、ＳＴＢ（Set Top Box）や、ＨＤＤ／ＤＶＤレコーダ等であっても良い。
【００１７】
まず、図１を参照しながら本ＡＶシステム１００全体の構成を説明する。
本実施形態のＡＶシステム１００は、複数のＡＶ機器２０と、当該ＡＶ機器２０を接続するための複数の接続端子２１（図２参照）及び表示部としての表示画面１８ａ（図２参照）を備える制御機器としてのテレビジョン受像機１０と、ユーザが各種指示を遠隔操作によって、テレビジョン受像機１０に入力するためのリモートコントロール装置（以下、リモコンという。）３０と、を備えて構成される。
【００１８】
リモコン３０は、例えば、図２に示すように、テレビジョン受像機１０の電源をオン／オフするためのオン／オフキー３０ａと、ＡＶ機器２０から、接続端子２１を介して入力される映像信号及び／又は音声信号に切り替え選択するための入力切替キー３０ｂと、各種メニュー画面を表示画面１８ａに表示させるためのメニューキー３０ｃと、メニュー画面等において、所望の項目を選択するためのカーソルキー３０ｄと、メニュー画面で選択した項目等を確定するための確定キー３０ｅ等を備えている。さらに、図示は省略するものの、所定の周波数のチャンネルを選局するためのチャンネルキーと、チャンネルを変更するためのチャンネルアップ／ダウンキーと、音量を調節するためのボリュームアップ／ダウンキーと、等を備え、それぞれのキーを押下操作すると、押下されたキーに対応する赤外線等の入力操作信号が、図示しない赤外線発光ダイオード等から出力されるようになっており、当該入力操作信号は、リモコン信号受光部３１を介して制御部３に出力される。
当該リモコン３０は、後述する表示制御プログラム３５ｂ、切替プログラム３５ｃにおいて、表示画面１８ａに表示された接続端子情報或いは機能情報から任意の接続端子或いは機能を、カーソルキー３０ｄや確定キー３０ｅ等を用いて選択することにより、選択手段として機能する。
【００１９】
テレビジョン受像機１０は、例えば、受像機本体１０ａに、テレビジョン受像機１０の機能を備えるテレビジョン部１、テレビジョン受像機１０にＡＶ機器２０を接続するためのインターフェース部２及びテレビジョン受像機１０全体を統括制御する制御部３の３つのユニットを内包して構成されている。
以下、各ユニットについて詳細に説明する。
【００２０】
テレビジョン部１は、例えば、放送信号を受信するアンテナ１１と、アンテナ１１と接続され、アンテナ１１から所定の周波数の放送信号を受信するチューナ部１２と、チューナ部１２により入力された放送信号を復調する復調器１３と、復調器１３により復調された放送信号を復号するデコーダ１４と、デコーダ１４及びＡＶ機器２０から出力された映像データに対して所定の処理を行う映像処理部１５と、デコーダ１４及びＡＶ機器２０から出力された音声データに対して所定の処理を行う音声処理部１６と、映像処理部１５により処理された映像信号にＧＵＩ（Graphical User Interface）画面を重畳するＧＵＩ画面重畳部１７と、映像処理部１５から出力された映像信号を出力する映像出力部１８と、音声処理部１６から出力された音声信号を出力する音声出力部１９と、を備えて成る。
【００２１】
アンテナ１１は、屋外において所定の方向に向けて配置されており、図示しないテレビジョン放送局から発信される高周波（ＲＦ）のＲＦ信号を受信する。
【００２２】
チューナ部１２は、図示は省略するが、ＵＨＦ／ＶＨＦチューナ、ＢＳチューナ及びＣＳニューナを備えており、それぞれのチューナは、高周波増幅回路と、局部発振回路及び混合回路から成る周波数変換回路と、を備えて構成されている。チューナ部１２は、アンテナ１１によって受信されたＲＦ信号と、局部発振回路から出力される局部発振信号とを混合回路により混合し、当該ＲＦ信号の周波数を選局して受像するチャンネルに同調するための制御部３からの制御信号に応じて、同調したチャンネルに対応する特定周波数帯のデジタル／アナログＲＦ信号を受信する。そして、当該受信したデジタル／アナログＲＦ信号を所定の中間周波数を有する中間周波信号（ＩＦ信号）に変換して、復調器１３に出力する。
【００２３】
復調器１３は、例えば、図示は省略するものの、デジタル信号復調器及びアナログ信号復調器を備えており、制御部３からの制御信号に従って、デジタル信号復調器において、チューナ部１２から入力されたデジタルＩＦ信号に対して増幅、復調、誤り訂正等の処理を行い、トランスポートストリーム（ＴＳ）を生成して、さらに当該トランスポートストリームを、ＭＰＥＧ２（Moving Picture Experts Group ２）規格下のビデオストリーム、オーディオストリーム及びＰＳＩ／ＳＩ（Program Specific Information/Service Information）等に分離するとともに、当該ビデオストリーム及びオーディオストリームをデコーダ１４に、ＰＳＩ／ＳＩに含まれるデータを制御部３に供給する。また、アナログ信号復調器において、チューナ部１２から入力されたアナログＩＦ信号に対して増幅、復調等の処理を行い、映像データ及び音声データを生成する。
【００２４】
デコーダ１４は、図示しない映像デコーダ及び音声デコーダを備えて構成されている。映像デコーダは、復調器１３から入力されたビデオストリームを復号し、逆ＤＣＴ変換や動き補償制御等を行い、映像データを生成する。一方、音声デコーダは、復調器１３から入力されたオーディオストリームを復号して、音声データを生成する。
復調器１３及びデコーダ１４によって生成された映像／音声データは、映像処理部１５又は音声処理部１６に出力されることとなる。
【００２５】
映像処理部１５は、デコーダ１４から入力された映像データに対して、Ｄ／Ａ変換等の各種処理を施し、映像信号を生成するとともに、生成した映像信号を映像出力部１８に出力する。
音声処理部１６は、デコーダ１４により入力された音声データに対してＤ／Ａ変換等の各種処理を行い、音声信号を生成するとともに、生成した音声信号を音声出力部１９に出力する。
【００２６】
ＧＵＩ画面重畳部１７は、制御部３からの制御信号に応じて、図示しないＧＵＩ画面データを映像処理部１５により処理された映像信号に合成する処理を行う。
【００２７】
映像出力部１８は、例えば、ＣＲＴ（Cathode Ray Tube）、ＬＣＤ（Liquid Crystal Display）等の表示画面１８ａを備えており、映像処理部１５から入力された映像信号に基づく映像を表示画面１８ａに表示させる。
音声出力部１９は、例えば、スピーカ１９ａ等を備え、音声処理部１６から入力された音声信号に基づく音声をスピーカ１９ａにより出力させる。
【００２８】
インターフェース部２は、例えば、図３に示すように、複数の接続端子２１と、制御部３から入力される入力切り替えの制御信号に基づいて、接続端子２１のうちから何れかの接続端子２１を接続して、当該接続端子２１に接続されたＡＶ機器２０から映像／音声信号を受信するための切り替え処理を行う切替手段としてのセレクタ２２と、それぞれの接続端子２１から入力される信号を検出することにより、ＡＶ機器２０の接続の有無を接続端子２１毎に検出する検出手段としての接続検出部２３と、を備えて構成されている。
具体的には、ユーザによりリモコン３０の入力切替キー３０ｂが押下操作されると、ＡＶ機器２０から出力される映像／音声信号に切り替えるための入力操作信号が制御部３を介してセレクタ２２に出力され、セレクタ２２は当該入力操作信号に応じて、入力切替キー３０ｂの押下操作毎に接続する接続端子２１を順次切り替える。また、後述する表示制御プログラム３５ｂの実行により表示画面１８ａに表示されたテレビジョン受像機１０に備わる接続端子２１が選択されると、当該選択された接続端子２１に切り替えるための入力操作信号が制御部３を介してセレクタ２２に出力され、セレクタ２２は当該入力操作信号に応じて、選択された接続端子２１に接続を切り替える。
【００２９】
図４は、受像機本体１０ａの背面部（図４（ａ））及び前面部（図４（ｂ））に備わる接続端子２１を例示する図である。受像機本体１０ａには、例えば、図３及び図４に示すように、ビデオ入力端子（Ｓ端子／映像端子・音声端子）２１ａ、コンポーネント入力端子（Ｄ端子・音声端子）２１ｂ、ＨＤＭＩ端子２１ｃ、ＰＣ入力端子２１ｄ、ＬＡＮ端子２１ｅ、ＩＥＥＥ１３９４端子２１ｆ、メモリカードスロット２１ｇ等の接続端子２１が備わっており、それぞれに所定のＡＶ機器２０が接続され、特に、メモリカードスロット２１ｇにはＳＤカード等のカード型情報記憶装置（図示省略）が挿入される。
【００３０】
接続検出部２３は、例えば、接続端子２１からの信号（例えば、同期信号）の有無を検出することにより、それぞれの接続端子２１にＡＶ機器２０が接続されているか否かを検出し、検出結果を制御部３に出力する。接続検出部２３は、例えば、接続端子２１からの同期信号があるときには「Ｈ」の検出信号を制御部３に出力し、同期信号が無いときには「Ｌ」の検出信号を制御部３に出力する。
【００３１】
ここで、テレビジョン受像機１０に接続される複数のＡＶ機器２０は、例えば、ＤＶＤ（Digital Versatile Disc）レコーダ２０ａ、Ｄ−ＶＨＳ（Data Video Home System）ビデオデッキ２０ｂ、パソコン（Personal Computer）２０ｃ、ゲーム機２０ｄ等であり、インターフェース部２に備わる接続端子２１により、テレビジョン受像機１０に接続されている。
具体的には、ＤＶＤレコーダ２０ａは、例えば、ビデオ入力端子２１ａによりテレビジョン受像機１０に接続されており、ＤＶＤに記録されたデータを読み出し、ビデオ入力端子２１ａを介してテレビジョン受像機１０に出力するとともに、ビデオ入力端子２１ａを介してテレビジョン受像機１０から入力されたデータをＤＶＤに記録する。Ｄ−ＶＨＳビデオデッキ２０ｂは、例えば、ＩＥＥＥ１３９４端子２１ｆを介してテレビジョン受像機１０に接続されており、テープに記録されたデータを読み出し、ＩＥＥＥ１３９４端子２１ｆを介してテレビジョン受像機１０に出力するとともに、ＩＥＥＥ１３９４端子２１ｆを介してテレビジョン受像機１０から入力されたデータをテープに記録する。パソコン２０ｃは、例えば、ＰＣ入力端子２１ｄによりテレビジョン受像機１０に接続されており、パソコン２０ｃにおけるデータを読み出してＰＣ入力端子２１ｄを介してテレビジョン受像機１０に出力する。ゲーム機２０ｄは、例えば、コンポーネント入力端子２１ｂによりテレビジョン受像機１０に接続されており、ゲームソフトに記録されたデータを読み出し、コンポーネント入力端子２１ｂを介してテレビジョン受像機１０に出力する。
【００３２】
制御部３は、リモコン信号受光部３１と、Ｉ／Ｏポート３２と、ＣＰＵ（Central Processing Unit）３３と、ＲＡＭ（Random Access Memory）３４と、ＲＯＭ（Read Only Memory）３５と、等を備えて構成されている。
【００３３】
リモコン信号受光部３１は、リモコン３０に備わる各種キーの押下操作により出力された入力操作信号を受信して、増幅、検波、誤り訂正等の処理を行い、当該入力操作信号をＣＰＵ３３に出力する。
【００３４】
ＣＰＵ３３は、受像機本体１０ａの各部からＩ／Ｏポート３２を介して入力された入力信号及びリモコン３０の各種キーの押下操作によってリモコン信号受光部３１及びＩ／Ｏポート３２を介して入力された入力操作信号等に応じて、ＲＯＭ３５に格納された各種プログラムを実行するとともに、Ｉ／Ｏポート３２を介して各部に制御信号を出力することによって、受像機本体１０ａの動作全般を統括制御する。
【００３５】
ＲＡＭ３４は、ＣＰＵ３３によって各種プログラムが実行される際に生じる処理結果や、入力されたデータ等を記憶する。
【００３６】
ＲＯＭ３５は、例えば、検出プログラム３５ａ、表示制御プログラム３５ｂ、切替プログラム３５ｃ等の各種プログラムを備えている。
【００３７】
検出プログラム３５ａは、例えば、ＣＰＵ３３に、ＡＶ機器２０が接続された接続端子２１を検出する機能を実現させるプログラムである。
具体的には、ＣＰＵ３３は、例えば、所定時間毎（例えば、３秒毎）に、接続検出部２３により、接続端子２１からの入力信号（例えば、同期信号）を検出させ、当該検出結果を制御部３に出力させる。ＣＰＵ３３は、当該検出結果に基づいて、それぞれの接続端子２１から入力信号の有無の検出結果を、それぞれの接続端子２１毎のフラグ情報としてＲＡＭ３４に記録する。ＲＡＭ３４に記録された接続端子２１からの入力信号の有無を示すフラグ情報は、例えば、接続端子２１からの信号の入力が有る場合には「１」として記録され、当該接続端子２１にはＡＶ機器２０が接続されていると判断されることとなる。また、接続端子２１からの信号の入力が無い場合には「０」として記録され、当該接続端子２１にはＡＶ機器２０が接続されていないと判断されることとなる。フラグ情報は、後述する表示制御プログラム３５ｂの実行において、ＣＰＵ３３により適宜参照されることとなる。
ＣＰＵ３３は、かかる検出プログラム３５ａを実行することにより、接続検出部２３とともに検出手段として機能する。
【００３８】
表示制御プログラム３５ｂは、例えば、ＣＰＵ３３に、目的別に、使用する接続端子２１に関する接続端子情報及びテレビジョン受像機１０の機能に関する機能情報を、表示画面１８ａに一覧表示させる機能を実現させるプログラムである。また、表示画面１８ａに一覧表示された接続端子情報において、検出プログラム３５ａの実行により検出されたＡＶ機器２０が接続された接続端子２１の接続端子情報を、ＡＶ機器２０が接続されていない接続端子２１の接続端子情報と異なる態様で表示させる。さらにまた、表示制御プログラム３５ｂは、例えば、ＣＰＵ３３に、表示画面１８ａに一覧表示された接続端子情報及び機能情報から、接続端子２１或いは機能がユーザにより選択されると、当該選択された接続端子２１或いはテレビジョン受像機１０の機能に関する説明情報を表示画面１８ａに表示させる機能を実現させる。
【００３９】
具体的には、ＣＰＵ３３は、ユーザによるリモコン３０のメニューキー３０ｃが押下され、当該押下に基づく入力操作信号が入力されると、テレビジョン受像機１０に備わる接続端子２１に関する接続端子情報及びテレビジョン受像機１０に備わる機能に関する機能情報を、目的別に一覧表示するメニュー画面を映像信号に重畳するための制御信号をＧＵＩ画面重畳部１７に出力する。ＧＵＩ画面重畳部１７は、当該制御信号に従って映像処理部１５から出力される映像信号にＧＵＩ画面を重畳し、接続端子２１及び機能が目的別に一覧表示されたメニュー画面が表示画面１８ａに表示されることとなる。
また、接続端子２１及び機能が目的別に一覧表示された当該メニュー画面において、ＣＰＵ３３は、検出プログラム３５ａにより検出された接続端子２１毎の入力信号の有無の検出結果を、ＲＡＭ３４に記録されたフラグ情報を参照することにより取得し、ＡＶ機器２０が接続されていると検出され、フラグ情報が「１」と記録された接続端子２１の接続端子情報と、ＡＶ機器２０が接続されていないと検出され、フラグ情報が「０」と記録された接続端子２１の接続端子情報を、例えば、表示の濃淡等により区別させる表示を行う。
また、ＣＰＵ３３は、表示画面１８ａに接続端子２１及び機能が目的別に一覧表示されたメニュー画面が表示され、当該メニュー画面においてユーザによるリモコン３０のカーソルキー３０ｄ等の選択操作（例えば、カーソルの位置の移動操作）により、接続端子２１或いは機能が選択されると、当該選択された接続端子２１或いは機能に関する説明を映像信号に重畳するための制御信号をＧＵＩ画面重畳部１７に出力する。ＧＵＩ画面重畳部１７は、当該制御信号に従って映像処理部１５から出力される映像信号にＧＵＩ画面を重畳し、選択された接続端子２１或いは機能に関する説明情報が表示画面１８ａに表示されることとなる。また、当該説明情報には、接続端子２１の受像機本体１０ａにおける配置位置を示す配置位置情報が含まれる。
ＣＰＵ３３は、かかる表示制御プログラム３５ｂを実行することにより、一覧表示制御手段及び説明表示制御手段として機能する。
【００４０】
切替プログラム３５ｃは、例えば、ＣＰＵ３３に、表示画面１８ａに表示された接続端子情報及び機能情報がユーザにより選択されると、当該選択された接続端子２１或いは機能に切り替える機能を実現させるプログラムである。
具体的には、ＣＰＵ３３は、表示制御プログラム３５ｂの実行により、接続端子２１及び機能が目的別に一覧表示された表示画面１８ａ上のメニュー画面において、ユーザによるリモコン３０のカーソルキー３０ｄ及び確定キー３０ｅ等による選択操作により、接続端子２１或いは機能が選択されると、当該選択された接続端子２１或いは機能に応じた処理に切り替える。
ＣＰＵ３３は、かかる切替プログラム３５ｃを実行することにより、切替手段として機能する。
【００４１】
以下、前述した表示制御プログラム３５ｂ及び切替プログラム３５ｃについて、図５を参照して、より具体的に説明する。
図５は、ＣＰＵ３３による表示制御プログラム３５ｂの実行により表示画面１８ａに表示されたメニュー画面を例示する図である。
【００４２】
まず、ユーザにより、リモコン３０のメニューキー３０ｃが押下されると、表示画面１８ａにメニュー画面を表示させるための入力操作信号が、リモコン信号受光部３１を介してＣＰＵ３３に出力され、ＣＰＵ３３は、当該入力操作信号に基づいて、ＧＵＩ画面重畳部１７により、表示画面１８ａに所定のメニュー画面を表示させる。当該メニュー画面には、「見る」「保存（録画）」「ゲーム」等のテレビジョン受像機１０を使用する目的を示す項目が表示され、ユーザはテレビジョン受像機１０を使用する目的に応じて、所望の項目をリモコン３０のカーソルキー３０ｄ及び確定キー３０ｅ等を用いて選択する。
【００４３】
当該メニュー画面において、例えば、ユーザによるリモコン３０の操作により「見る」という目的の項目が選択され、当該選択操作に基づく入力操作信号がＣＰＵ３３に出力されると、ＣＰＵ３３は、図５（ａ）に示すように、当該入力操作信号に基づいて、ＧＵＩ画面重畳部１７により、「テレビ放送を見る」「接続機器から見る」「ネットワーク接続機器から見る」「メモリカードから見る」等の操作の対象ごとに、テレビジョン受像機１０の機能情報及び接続端子情報を一覧表示させる。
具体的には、例えば、図５（ａ）に示すように、「テレビ放送を見る」という項目に対応して、「地上波デジタル放送」「地上波アナログ放送」「ＢＳデジタル放送」「１１０度ＣＳデジタル放送」等のテレビジョン受像機１０の機能に関する機能情報が一覧表示される。また、「接続機器から見る」という項目に対応して、「ビデオ入力端子（Ｓ端子／映像端子・音声端子）」「コンポーネント入力端子（Ｄ端子・音声端子）」「ＨＤＭＩ端子」「ＰＣ入力端子」等のテレビジョン受像機１０に備わる接続端子２１に関する接続端子情報が一覧表示される。また、「ネットワーク接続端子から見る」という項目に対応して、「ＬＡＮ端子」「ＩＥＥＥ１３９４端子」等のテレビジョン受像機１０に備わる接続端子２１に関する接続端子情報が一覧表示される。さらに、「メモリカードから見る」という項目に対応して、「メモリカードスロット」等のテレビジョン受像機１０に備わる接続端子２１に関する接続端子情報が一覧表示される。
【００４４】
また、当該接続端子情報の一覧表示においては、ＡＶ機器２０が接続されていると検出され、フラグ情報が「１」と記録された接続端子２１の接続端子情報は濃く強調表示され、ＡＶ機器２０が接続されていないと検出され、フラグ情報が「０」と記録された接続端子２１の接続端子情報は薄く表示されることにより、接続端子２１ごとのＡＶ機器２０の接続の有無を区別することができる。
例えば、インターフェース部２において、ビデオ入力端子２１ａにＤＶＤレコーダ２０ａが接続され、ＩＥＥＥ１３９４端子２１ｆにＤ−ＶＨＳビデオデッキ２０ｂが接続され、ＰＣ入力端子２１ｄにパソコン２０ｃが接続され、さらに、コンポーネント入力端子２１ｂにゲーム機２０ｄが接続されている場合には、図５（ａ）に示すように、接続端子情報の一覧表示において、ビデオ入力端子２１ａ、ＩＥＥＥ１３９４端子２１ｆ、ＰＣ入力端子２１ｄ及びコンポーネント入力端子２１ｂのＡＶ機器２０が接続された接続端子２１の接続端子情報が濃く強調表示され、それ以外の接続端子情報は、薄く表示される。
【００４５】
また、図５（ａ）において、ユーザによるリモコン３０のカーソルキー３０ｄ等の操作により、各項目にカーソルが移動すると、ＣＰＵ３３は、カーソルが移動した先の機能又は接続端子２１に関する説明情報を表示させる。
【００４６】
例えば、図５（ａ）において、ユーザにより「ＢＳデジタル放送」という機能が選択されると、ＣＰＵ３３は、図５（ｂ）に示すように、ＢＳデジタル放送という機能に関する説明情報（例えば、「放送衛星を利用したデジタル信号によるテレビ放送です。高画質な映像や高音質な音声、多チャンネルの番組、データ放送をお楽しみになれます。」等）を表示させる。
【００４７】
さらに、図５（ｂ）において、ユーザは、所望の機能情報をリモコン３０のカーソルキー３０ｄ及び確定キー３０ｅ等を用いて選択すると、当該選択操作に基づく入力操作信号がＣＰＵ３３に出力され、ＣＰＵ３３は、当該入力操作信号に基づいて、選択された機能の処理に切り替える。例えば、ユーザにより「ＢＳデジタル放送」という機能が選択されると、ＣＰＵ３３は、チューナ部１２等により、ＢＳデジタル放送の放送信号の処理を開始する。
【００４８】
一方、例えば、図５（ａ）において、ユーザにより「ＬＡＮ端子」という接続端子２１が選択されると、ＣＰＵ３３は、図５（ｃ）に示すように、ＬＡＮ端子２１ｅに関する説明情報（例えば、「ＬＡＮ端子を搭載した機器（HDD／DVDレコーダ、ネットワークプレーヤ等）と接続します。家庭内ＬＡＮに接続された機器のコンテンツを見たり、機器にコンテンツを記録します。」等）を表示させる。また、当該説明情報には、選択された接続端子２１の配置位置も表示される（例えば、「本体背面にあります。」等）。
【００４９】
さらに、図５（ｃ）において、ユーザは、所望の接続端子２１をリモコン３０のカーソルキー３０ｄ及び確定キー３０ｅ等を用いて選択すると、当該選択操作に基づく入力操作信号がＣＰＵ３３に出力され、ＣＰＵ３３は、当該入力操作信号に基づいて、選択された接続端子２１の処理に切り替える。例えば、ユーザにより「ＬＡＮ端子」が選択されると、ＣＰＵ３３は、インターフェース部２のセレクタ２２に対して、ＬＡＮ端子２１ｅに接続を切り替えるための制御信号を出力し、映像処理部１５、音声処理部１６等により、ＬＡＮ端子２１ｅから入力される信号の処理を開始する。
【００５０】
以上説明した本発明にかかるＡＶシステム１００によれば、ＣＰＵ３３による表示制御プログラム３５ｂの実行により、目的別に、使用する接続端子２１に関する接続端子情報及びテレビジョン受像機１０の機能に関する機能情報が、表示画面１８ａに一覧表示され、リモコン３０の操作により、当該一覧表示された接続端子情報及び機能情報から任意の接続端子２１或いは機能を選択でき、また、ＣＰＵ３３による切替プログラム３５ｃの実行により、リモコン３０の操作により選択された接続端子２１或いは機能に切り替えられる。したがって、複数のＡＶ機器２０と、ＡＶ機器２０を接続するための複数の接続端子２１及び表示画面１８ａを備えるテレビジョン受像機１０と、を備えるＡＶシステム１００において、ユーザがテレビジョン受像機１０に備わる接続端子２１及び機能を容易に把握することができ、且つ接続端子２１及び機能の選択操作性の向上を図ることができるＡＶシステム１００を提供することができる。
また、ＣＰＵ３３による表示制御プログラム３５ｂの実行により、検出プログラム３５ａの実行により検出されたＡＶ機器２０が接続された接続端子２１の接続端子情報が、他の接続端子２１の接続端子情報と異なる態様で表示されるので、ユーザはＡＶ機器２０が接続された接続端子２１を容易に認識することができ、さらに、リモコン３０の操作により選択された接続端子２１或いはテレビジョン受像機１０の機能に関する説明情報が表示されるので、ユーザは接続端子２１或いはテレビジョン受像機１０の機能に関する情報を容易に知ることができる。そして、当該説明情報には、接続端子２１の配置位置に関する配置位置情報が含まれるので、ユーザは接続端子２１の配置位置を容易に認識することができることとなる。
【００５１】
なお、本発明は上記実施の形態に限られること無く、本発明の趣旨を逸脱しない範囲において、種々の改良並びに設計の変更を行っても良い。
例えば、表示制御プログラム３５ｂにより、接続端子２１に関する接続端子情報及びテレビジョン受像機１０の機能に関する機能情報が表示部に表示される設計としたが、表示制御プログラム３５ｂにより表示される情報はこれらに限られることなく、リモコン３０の機能に関する情報等が表示されても良い。
また、検出プログラム３５ａによりＡＶ機器２０が接続された接続端子２１が検出される設計としたが、検出プログラム３５ａにより使用可能な機能が検出される設計としても良い。
また、表示制御プログラム３５ｂの実行により、ＧＵＩ画面重畳部１７により表示画面１８ａにＧＵＩ画面が表示される設計としたが、ＯＳＤ付加回路により表示画面１８ａにＯＳＤ表示が行われる設計であっても良い。
【図面の簡単な説明】
【００５２】
【図１】本発明にかかるＡＶシステムの構成を例示した図である。
【図２】本発明にかかるＡＶシステムの要部構成を例示したブロック図である。
【図３】インターフェース部の要部構成を例示したブロック図である。
【図４】受像機本体に備わる接続端子を例示した図である。
【図５】表示制御プログラムの実行により表示画面に表示されるメニュー画面を例示した図である。
【符号の説明】
【００５３】
１００    ＡＶシステム
１０      テレビジョン受像機（制御機器）
２１      接続端子
２１ａ    ビデオ入力端子（接続端子）
２１ｂ    コンポーネント入力端子（接続端子）
２１ｃ    ＨＤＭＩ端子（接続端子）
２１ｄ    ＰＣ入力端子（接続端子）
２１ｅ    ＬＡＮ端子（接続端子）
２１ｆ    ＩＥＥＥ１３９４端子（接続端子）
２１ｇ    メモリカードスロット（接続端子）
２３      接続検出部（検出手段）
３３      ＣＰＵ（検出手段、一覧表示制御手段、説明表示制御手段、切替手段）
３５ａ    検出プログラム（検出手段）
３５ｂ    表示制御プログラム（一覧表示制御手段、説明表示制御手段）
３５ｃ    切替プログラム（切替手段）
２０      ＡＶ機器
２０ａ    ＤＶＤレコーダ（ＡＶ機器）
２０ｂ    Ｄ−ＶＨＳビデオデッキ（ＡＶ機器）
２０ｃ    パソコン（ＡＶ機器）
２０ｄ    ゲーム機（ＡＶ機器）
３０      リモコン（選択手段）
【図１】
2007134956.tif 000003
【図２】
2007134956.tif 000004
【図３】
2007134956.tif 000005
【図４】
2007134956.tif 000006
【図５】
2007134956.tif 000007